(57)【特許請求の範囲】
【請求項１】
一般式(1) ：
【化１】
0003990516.tif 000006
（式中、Ｒ1 は−ＳＲ2 、−ＯＲ2 または−ＮＨＲ2 を示し、Ｒ2 は水素原子、アルキル基、フェニル基またはアルケニル基を示す。Ｍ1 およびＭ2 は同一または異なって、水素原子、アルカリ金属または１／２（アルカリ土類金属）を示す。）
で表されるトリアジンチオール類によって表面処理が施された、および／または表面粗さＲａが１〜１０μｍとなるように粗面化処理が施された端子用の金属部品と、
多官能性モノマーを含有するナイロン樹脂とが一体成形され、
放射線の照射による前記ナイロン樹脂の架橋と、１００℃以上での熱処理とが施された端子用金属と樹脂の複合体。
【請求項２】
前記熱処理が１５０℃以上で行われたものである請求項１記載の、端子用金属と樹脂の複合体。
【発明の詳細な説明】
【０００１】
【発明の属する技術分野】
本発明は、電子・電気部品等に用いられる金属と樹脂との複合体に関する。
【０００２】
【従来の技術】
電子・電気分野に使用されるコネクタの端子とその保持部には、コネクタの軽量化を図るために、金属−樹脂複合体が広く用いられている。
近年、電子機器の小型・軽量化に伴って、コネクタの小型化、とりわけ樹脂成形物である保持部の小型・薄肉化が必須となっているが、かかる小型・薄肉化を図るに当っては、金属−樹脂複合体における金属（端子）と、樹脂（保持部）との接着強度を向上させることが重要となっている。
【０００３】
【発明が解決しようとする課題】
特開平８−２５４０９号公報には、インサート用金属部品と樹脂とを射出成形により一体成形する際に、金属部品にあらかじめトリアジンチオール類の化合物による表面処理を施す、あるいは樹脂にトリアジンチオール類を添加することによって、金属部品との着強度を向上させる方法が開示されている。
【０００４】
しかしながら、上記公報に記載されたような、従来の金属−樹脂複合体の製造方法では、端子と保持部とを一体成形（インモールド成形）するときの成形性を良好に保ち、なおかつ、重要な特性である端子保持強度（金属からなる端子と樹脂からなる保持部との接着強度）と、耐半田性（半田による金属接合時の熱変形に対する耐性）とを十分なものにするとの要求を満たすことは困難であった。
【０００５】
例えば、インモールド成形による成形性を良好に保つには、流動性が良好でバリの発生が少ない樹脂を使用する必要があるものの、成形性を満足し得るナイロン樹脂（例えばナイロン−６等）やポリブチレンテレフタレート（ＰＢＴ）樹脂では、半田に対する耐熱性が不十分であるために、端子の接合時に熱変形が生じる問題がある。一方、耐熱性の高い液晶ポリマーでは、様々な樹脂改質の試みがなされたにも関わらず、金属と樹脂との接着強度を高くすることができず、従って、十分な端子保持強度を得ることもできない。
【０００６】
また、ナイロン樹脂やＰＢＴ樹脂を使用した場合でも、通常の金型温度（９０℃前後）では十分な端子保持強度が得られないため、金型温度を非常に高くしたり、成形後に熱処理を行う必要があるが、前者の場合は成形サイクルが長くなるという問題が、後者の場合は熱処理時に変形が生じるという問題が生じる。
そこで、本発明の目的は、成形性が良好で、端子の保持強度や耐半田性に優れた金属−樹脂複合体を提供することである。
【０００７】
【課題を解決するための手段および発明の効果】
本発明者らは、上記課題を解決するために鋭意研究を重ねた結果、樹脂との一体成形を行う金属部品の表面に、あらかじめ特定のトリアジンチオール類で表面処理を施したり、所定の表面粗さを実現するように粗面化処理を施したり、あるいはその両方の処理を施したりして、多官能性モノマーを有するナイロン樹脂と一体成形し、次いで、放射線によって前記ナイロン樹脂を架橋させ、さらに所定の温度以上で熱処理を施したときは、ナイロン樹脂の優れた成形性を維持しつつ、金属と樹脂との接着強度が良好で、実用上十分な端子保持強度を有し、かつ耐半田性が良好で、製造工程時における熱変形等のおそれのない金属−樹脂複合体を得ることができるという新たな事実を見出し、本発明を完成するに至った。
【０００８】
すなわち、本発明に係る端子用の金属−樹脂複合体は、一般式(1) ：
【０００９】
【化２】
0003990516.tif 000002
【００１０】
（式中、Ｒ1 は−ＳＲ2 、−ＯＲ2 または−ＮＨＲ2 を示し、Ｒ2 は水素原子、アルキル基、フェニル基またはアルケニル基を示す。Ｍ1 およびＭ2 は同一または異なって、水素原子、アルカリ金属または１／２（アルカリ土類金属）を示す。）で表されるトリアジンチオール類によって表面処理が施された、および／または表面粗さＲａが１〜１０μｍとなるように粗面化処理が施された金属部品と、多官能性モノマーを含有するナイロン樹脂とが一体成形され、放射線の照射による前記ナイロン樹脂の架橋と、１００℃以上での熱処理とが施されたものであることを特徴とする。
【００１１】
上記本発明に係る金属−樹脂複合体によれば、端子を構成する金属部品にあらかじめ表面処理または粗面化処理が施されており、さらに保持部を構成するナイロン樹脂と金属部品とを一体成形した後で熱処理が施されていることから、金属部品とナイロン樹脂とが十分な接着強度でもって一体化される。
また、本発明によれば、ナイロン樹脂が多官能性モノマーを含有しており、このナイロン樹脂に放射線を照射することによって架橋処理が施されていることから、半田付けによって端子を接合する際等のナイロン樹脂の耐熱性、すなわち耐半田性が良好で、当該樹脂部分の熱変形が十分に防止される。
【００１２】
上記本発明の金属−樹脂複合体において、熱処理の温度が１５０℃以上である場合には、金属部品とナイロン樹脂との接着強度をより一層向上させることができる。
本発明における表面粗さＲａとは、ＪＩＳ  Ｂ  ０６０１「表面粗さの定義と表示」に規定する「中心線平均粗さ（Ｒａ）」をいう。また、本発明において、表面粗さＲａは、いずれもカットオフ値０．８ｍｍ、測定長さ２．４ｍｍ以上の条件で測定したものである。
【００１３】
【発明の実施の形態】
以下、本発明に係る金属−樹脂複合体について、詳細に説明する。
本発明の金属−樹脂複合体は、前述のように、あらかじめ特定のトリアジンチオール類による表面処理が施されたり、所定の程度に粗面化処理が施されたり、あるいはその両方の処理が施されたりした金属箔等の金属部品と、多官能性モノマーを含有するナイロン樹脂とを一体成形した後、ナイロン樹脂に放射線を照射して架橋を施し、さらに１００℃以上の温度で熱処理することによって得られる。
【００１４】
（金属部材）
本発明の金属−樹脂複合体における金属部品には種々の金属を用いることができ、その種類は特に限定されるものではないが、例えば電子・電気分野で多用される銅、スズ、金、銀、アルミニウム、鉄およびこれらの合金等が挙げられる。中でも銅は、その表面に、後述するＭＥＣ  ｅｔｃｈ  Ｂｏｎｄ法による粗面化処理を施すことによって、樹脂との接着強度が極めて高い複合体を形成することができることから、本発明の金属−樹脂複合体における金属部品として使用するのに好適である。
【００１５】
（表面処理）
金属部品の表面処理に用いられるトリアジンチオール類は、一般式(1) ：
【００１６】
【化３】
0003990516.tif 000003
【００１７】
（式中、Ｒ1 は−ＳＲ2 、−ＯＲ2 または−ＮＨＲ2 を示し、Ｒ2 は水素原子、アルキル基、フェニル基またはアルケニル基を示す。Ｍ1 およびＭ2 は同一または異なって、水素原子、アルカリ金属または１／２（アルカリ土類金属）を示す。）
で表される。
【００１８】
上記一般式(1) で表されるトリアジンチオール類において、基Ｒ1 で表される基：−ＳＲ2 、基：−ＯＲ2 または基：−ＮＨＲ2 中の基Ｒ2 のうち、アルキル基としては、例えばメチル、エチル、ｎ−プロピル、ｉ−プロピル、ｎ−ブチル、ｔ−ブチル等が挙げられる。また、アルケニル基としては、例えばビニル、１−プロペニル、２−ブテニル、２−ペンテニル、１，３−ブタンジエニル等が挙げられる。
【００１９】
基Ｍ1 およびＭ2 で表されるアルカリ金属としては、ナトリウム、カリウム等が、アルカリ土類金属としては、マグネシウム、カルシウム等が挙げられる。
上記トリアジンチオール類の具体例としては、例えば２−オクチルアミノ−４，６−ジチオール−１，３，５−トリアジン、２−アニリノ−４，６−ジチオール−１,３,５−トリアジン、２,４,６−トリチオール−１，３，５−トリアジン、２，４−ジメルカプト−６−ソジウムメルカプチド−１，３，５−トリアジン、２−メルカプト−４，６−ビスポタジウムメルカプチド−１，３，５−トリアジン等が挙げられる。
【００２０】
金属部品への表面処理は、上記トリアジンチオール類(1) の水溶液や有機溶媒の溶液に金属部品を浸漬したり、溶液を金属に塗布することによって行われる。
金属部品をトリアジンチオール類(1) の水溶液や有機溶媒の溶液に浸漬する場合において、前記水溶液または溶液の温度や浸漬時間は特に限定されるものではないが、通常、液温を１０〜４０℃に調整して、浸漬時間を１〜３０分、好ましくは５〜１０分に設定するのが好適である。前記有機溶媒も特に限定されるものではないが、例えばメタノール、エタノール等のアルコール類；メチルエチルケトン等のケトン類；酢酸エチル等のエステル類などが挙げられる。
【００２１】
（粗面化処理）
金属部品の表面の粗面化処理は、例えば、酸化力の強い過マンガン酸水溶液のようなエッチング溶液によってマイクロエッチングを行う方法、酸化剤によって表面に酸化被膜を形成させるいわゆる黒化処理等が好適である。
特に、金属部品として銅を用いる場合には、黒化処理によって生じるピンクリングの問題を避けるべく、キレート作用と空気酸化とを併せてエッチングを行う、いわゆるＭＥＣ  ｅｔｈ  Ｂｏｎｄ法〔牧善朗ほか，電子材料，26〜30頁，1995年10月号参照〕を採用するのが好ましい。
【００２２】
粗面化処理の程度は、金属部品の表面粗度（Ｒａ）が１〜１０μｍとなるように設定される。金属部品の表面粗度（Ｒａ）が上記範囲を下回ると、金属部品とナイロン樹脂との接着強度を向上させる効果が得られなくなる。一方、上記範囲を超えると、かえってナイロン樹脂の接着性が低下するおそれがある。金属部品の表面粗度（Ｒａ）は、上記範囲の中でも特に３〜５μｍであるのが好ましい。
【００２３】
（ナイロン樹脂）
ナイロン樹脂は、一般にそのままでは放射線架橋を行うことが困難であるが、適当な多官能性モノマーを添加することによって、容易に放射線架橋を行うことができる。ナイロン樹脂は、後述する方法で架橋することによって、金属−樹脂複合体の耐半田性が向上する。
【００２４】
本発明の金属−樹脂複合体に用いられるナイロン樹脂は、後述する多官能性モノマーを樹脂中に含有させて用いるほかは特に限定されるものではなく、従来公知の種々のナイロン樹脂を用いることができるが、ナイロン樹脂の架橋密度や架橋効率を上げたり、成形性を高めたり、高レベルの耐半田性を得るといった目的を達成するためには、
(a) 炭素数が５以上のメチレン鎖を有するもの、
(b) 酸アミド結合部分以外の繰返し単位に、芳香族環等の、メチレン鎖以外の基を有しないもの、および
(c) 融点が１６０〜２７０℃であるもの
を用いるのが好ましい。
【００２５】
従って、例えばナイロン−６（ポリアミド６、融点２１５〜２２５℃）、ナイロン−66（ポリアミド66、融点２５５〜２６５℃）、ナイロン−12（ポリアミド12、融点１７６〜１８０℃）、ナイロン−11（ポリアミド11、融点１８０〜１９０℃）、ナイロン−610 （ポリアミド６，10、融点２１５〜２２５℃）、ナイロン−612 （ポリアミド６，12、融点２１０〜２２０℃）等が好適に用いられる。
【００２６】
一方、例えばナイロン−４，６（ポリアミド４，６、融点２９５〜３００℃）のようにメチレン鎖の鎖長が短く、融点が高い場合は、結晶性が高く、放射線架橋の効率が低くなるために、金属−樹脂複合体の用途に適さなくなるおそれがある。また、例えば繰返し単位にベンゼン環を有するＭＣＸナイロン〔三井石油化学（株）製、融点３２０℃〕は、放射線による架橋性が低く、成形性も低いために、金属−樹脂複合体の用途に適さなくなるおそれがある。
【００２７】
さらに、例えばポリアミドとポリエステル（またはポリエーテル）とをブロック共重合したナイロンエラストマーのように、融点が１６０℃以下であるナイロンの場合には、強度が低くなるために、金属−樹脂複合体の用途に適さなくなるおそれがある。
（多官能性モノマー）
ナイロン樹脂に配合される多官能性モノマーとしては、特に限定されるものではないが、例えば一般式(2) ：
【００２８】
【化４】
0003990516.tif 000004
【００２９】
（式中、Ｒ3 、Ｒ4 およびＲ5 は同一または異なってアルケニル基を示す。）
で表されるシアヌル酸誘導体（例えば、トリアリルシアヌレート等）；トリアリルイソシアヌレート等のイソシアヌル酸誘導体；ジアリルフタレート類；アクリル酸またはメタクリル酸のジまたはトリエステル類等が好適に用いられる。
上記一般式(2) で表されるシアヌル酸誘導体において、基Ｒ3 〜Ｒ5 で表されるアルケニル基としては、例えばビニル、１−プロペニル、２−ブテニル、２−ペンテニル、１，３−ブタンジエニル等が挙げられる。
【００３０】
（放射線架橋）
上記ナイロン樹脂の放射線による架橋は、前述の金属部品と上記ナイロン樹脂とを一体成形した後、得られた成形体のナイロン樹脂部分に電子線、γ線、Ｘ線等の放射線を照射することによって行なわれる。
かかる放射線によるナイロン樹脂の架橋において、上記放射線の照射線量は、使用する樹脂や照射条件によって異なるものの、通常、１０〜５００ｋＧｙのレベルに設定される。
【００３１】
（熱処理）
本発明において、金属−樹脂複合体の熱処理は、金属部品とナイロン樹脂との一体成形物に放射線を照射して、ナイロン樹脂を硬化させた後に行われる。
上記熱処理は、放射線による架橋が施された一体成形物を、例えばオーブン等に入れて、１００℃以上の雰囲気に５〜６０分程度、好ましくは１０分程度保持することによって行われる。かかる熱処理を施すことにより、通常の金型温度で一体成形された金属−樹脂複合体における金属部品とナイロン樹脂との接着強度（コネクタにおいては、保持部の端子保持強度）を、成形品を変形させることなく、実用上十分なレベルにまで向上させることができる。
【００３２】
上記熱処理の温度が１００℃を下回ると、金属部品とナイロン樹脂との接着強度を実用上十分なレベルにまで向上させることができない。また、上記熱処理の温度は、接着強度をより一層良好なものにするという観点から、１５０℃以上で行うのがより好ましい。
【００３３】
【実施例】
次に、実施例および比較例を挙げて本発明を説明する。
〔金属−樹脂複合体の製造〕
実施例１
金属端子〔銅合金端子、日本ガイシ（株）製、材質名「ＢｅＣｕ０７−ＨＴ」、長さ５．０ｃｍ、幅０．１５ｃｍ、厚さ０．２５ｃｍ〕を、トリアジンチオール類〔三協化成（株）製の商品名「ジスネットＦ」〕の１％メタノール溶液に５分間浸漬させて、前記金属端子に表面処理を施した後、水洗し、常温で乾燥させた。
【００３４】
次いで、上記表面処理が施された銅端子を、射出成形機の８０℃に調整された金型内に設置して、ナイロン樹脂〔多官能性モノマーとしてのトリアリルシアヌレートを５重量％含有するナイロン−６、住友電気工業（株）製、融点２２５℃〕とともに射出成形を行い、銅合金端子の表面のうち１面を露出させた状態で、残りをナイロン樹脂で被覆した一体成形物を得た。
【００３５】
こうして得られた一体成形物に、照射線量が１００ｋＧｙとなるように調整して電子線を照射し、次いで、１００℃の恒温槽に１０分間放置して、熱処理を施した。
こうして、図２に示す形状の金属−樹脂複合体（テストピース）１０を作製した。テストピースの各部の寸法は次の通りである。
【００３６】
金属樹脂複合体（テストピース）１０の長さＬ1 ＝５．０ｃｍ、幅ｗ＝０．１５ｃｍ、厚さｔ1 ＝０．２５ｃｍ。金属部品（銅端子）部分１２の厚さｔ2 ＝０．２０ｃｍ、ナイロン樹脂部分１４の厚さｔ3 ＝０．０５ｃｍ。
実施例２
熱処理の温度を１５０℃としたほかは、実施例１と同様にして金属−樹脂複合体を製造した。
【００３７】
実施例３
金属端子（銅合金端子）を、前述のＭＥＣ  ｅｔｃｈ  Ｂｏｎｄ法によって粗面化して、表面粗さＲａ（中心線平均粗さ，ＪＩＳ  Ｂ  ０６０１）が約３．５μｍとなるように調整した。
次いで、上記粗面化処理が施された金属端子を用いたほかは、実施例１と同様にして、ナイロン樹脂との一体成形、電子線の照射および熱処理を行って、金属−樹脂複合体を製造した。
【００３８】
比較例１
金属端子（銅合金端子）の表面処理を行わなかったほかは実施例２と同様にして（または、金属端子の粗面化処理行わなかったほかは実施例３と同様にして）、金属−樹脂複合体を製造した。
比較例２
電子線の照射を行わなかったほかは実施例２と同様にして、金属−樹脂複合体を製造した。
【００３９】
比較例３
熱処理を行わなかったほかは実施例２と同様にして、金属−樹脂複合体を製造した。
〔金属−樹脂複合体の特性の評価〕
（耐半田性）
上記実施例および比較例の金属−樹脂複合体を、それぞれ２８０℃の半田浴に１０秒間浸漬した。浸漬後、金属−樹脂複合体に変形、溶融等の不具合が生じていないかを目視で確認し、以下の基準で評価した。
○：変形、溶融等の不具合が全く観察されなかった。
×：変形または溶融が観察された。
【００４０】
（端子保持強度）
上記実施例および比較例の金属−樹脂複合体（テストピース）１０を、図１および２に示すように、幅ｗm １．２ｃｍ、厚さｔm ０．８５ｃｍのモールド２０に装着した。
テストピース１０がモールド２０から露出している部分については、樹脂部分１４の切欠部１６までの長さＬ2 が３ｃｍ、先端部までの長さＬ3 が２．６７ｃｍとなるように調整した。また、前記切欠部１６には錘２２をぶら下げた。
【００４１】
金属端子がモールドから外れるときの荷重を、錘２２の重さを変化させることにより、荷重１０ｇｆごとに測定した。
本発明の金属−樹脂複合体を実際の小型コネクタとして使用する場合には、この試験で４０ｇｆ以上の過重に耐えることが要求される。
（熱処理時の変形）
上記実施例および比較例の金属−樹脂複合体について、熱処理を施した後での形状の変化の有無を目視で観察した。
【００４２】
（成形性）
上記実施例および比較例の金属−樹脂複合体の製造工程において、とりわけナイロン樹脂と金属端子の一体成形時において、成形の容易さを○（成形性が良好であった。）および×（成形性が十分でなかった。）の２段階で評価した。
以上の結果を表１に示す。
【００４３】
【表１】
0003990516.tif 000005
【００４４】
表１より明らかなように、実施例１〜３の金属−樹脂複合体は、いずれも耐半田性、端子保持強度および成形性の特性が良好で、熱処理時の変形も生じなかった。また、実施例２の結果より、熱処理の温度を１００℃から１５０℃に上げると、端子保持強度がより一層向上することがわかった。
一方、比較例１〜３では、耐性半田、端子保持強度、熱処理時の変形および成形性のいずれをも満足するものは得られなかった。
【図面の簡単な説明】
【図１】金属−樹脂複合体の端子保持強度を測定する装置を示す説明図である。
【図２】テストピースの各部の寸法を示す説明図である。
【符号の説明】
１０  金属−樹脂積層体（テストピース）
１２  金属（銅合金端子）
１４  ナイロン樹脂
【図１】
0003990516.tif 000007
【図２】
0003990516.tif 000008